(57)【特許請求の範囲】
【請求項１】
被験者の被曝放射線量を計測し、データとして保存する線量計において、線量計内部に設置され、前記線量計の動作を制御する制御部と、被曝線量情報を格納するデータ格納部と、前記制御部と前記データ格納部を接続する接続手段と、前記データ格納手段に格納された被曝放射線量に関する情報を外部機器に送信する送信部を有し、線量計の故障時に前記接続手段を切り離すための切り離し部と、切り離された前記データ格納部を外部と接続する外部接続部とを設けたことを特徴とする線量計。
【請求項２】
データ格納部をＥＥＰＲＯＭで構成した請求項１記載の線量計。
【請求項３】
データ格納部をＥＥＰＲＯＭで構成し、前記ＥＥＰＲＯＭと制御部との接続手段を２線式シリアルラインとした請求項１記載の線量計。
【請求項４】
被験者の被曝放射線量を計測し、データとして保存する線量計において、線量計内部に設置され、前記線量計の動作を制御する制御部と、被曝線量情報を格納する第１のデータ格納部と、前記制御部と前記データ格納部を接続する接続手段と、前記データ格納手段に格納された被曝放射線量に関する情報を外部機器に送信する送信部を有し、線量計の故障時に前記接続手段を切り離すための切り離し部と、切り離された前記データ格納部を外部と接続する外部接続部とを設けた線量計と、前記線量計からの被曝放射線量に関する情報を格納する第２のデータ格納部を有する外部機器からなる線量計測システム。
【請求項５】
第１のデータ格納部をＥＥＰＲＯＭで構成した請求項４記載の線量計測システム。
【請求項６】
第１のデータ格納部をＥＥＰＲＯＭで構成し、前記ＥＥＰＲＯＭと制御部との接続手段を２線式シリアルラインとした請求項４記載の線量計測システム。
【請求項７】
請求項１記載の線量計の内、少なくとも動作を制御する制御部と、情報を外部に送信する送信部と、外部接続部を有することで故障線量計の読み出し治具となり得ることを特徴とする線量計測システム。
【請求項８】
故障した第１の線量計の外部接続部と、請求項７記載の読み出し治具となる第２の線量計の外部接続部を接続することで、前記第１の線量計のデータ格納部に格納された被曝線量情報を第２の線量計の制御部と送信部を介して、通常と同一の外部機器にて読み出すことが可能であることを特徴とする線量計測システム。
【発明の詳細な説明】
【０００１】
【発明の属する技術分野】
本発明は、原子力発電所、放射線利用施設および加速器施設において使用される個人被曝管理用線量計および前記線量計を使用する線量計測システムに関する。
【０００２】
【従来の技術】
図３は、従来技術による構成を示す。
【０００３】
制御部１とデータ格納部３および外部接続部４は図３に示すように直接接続され、線量計が計測した被曝放射線量を蓄積・保持している。線量計の通常時は、外部機器６を用いて蓄積された被曝線量データを読み出し、線量計の故障時は、外部接続部４を介して専用読み出し機７により蓄積された被曝線量データを読み出すことが可能とされてきた。
【０００４】
【発明が解決しようとする課題】
上記従来技術では、制御部１とデータ格納部３および外部接続部４が直接接続されているため線量計の故障の際、制御部の端子状態によっては外部接続部４を介して専用読み出し機７を用いても、データ格納部の制御ラインを制御することができず蓄積された被曝線量データを読み出すことが不可能であり、直前までの被曝線量データを破棄せざるを得ず、データの欠落のない信頼性の高い被曝管理を実現することが困難であった。また、故障線量計からの被曝線量データ読み出しのためには専用の外部機器を必要とし、システム簡略化の妨げであった。
【０００５】
【課題を解決するための手段】
上記の達成のため、本発明の線量計においては、線量計の動作を制御する制御部と被曝線量情報を格納するデータ格納部との接続手段間と、データ格納部に供給される電源端子に切り離しのための切り離し部を設けることで、故障による動作不能時にはデータ格納部を制御線、電源線ともに完全に切り離す構成とすることで故障状態によらず被曝線量データを読み出し可能としている。また、データ格納部の電源端子、制御端子に接続され、上記の切り離しに関係なく端子を外部に導く外部接続部を有する構成としている。
【０００６】
上記の故障により、データ格納部を切り離した故障線量計の被曝線量を読み出す際には正常線量計からデータ格納部のみを削除した読み取り線量計を用意し、故障線量計と接続することで故障線量計のデータ格納部を読み取り線量計のデータ格納部として動作させ、読み取り線量計の制御部と送信部を利用して被曝線量情報を外部に送信し、通常の外部機器により被曝線量情報を読み出すことができる。
【０００７】
【発明の実施の形態】
以下に本発明の一実施例の形態について図面を参照して説明する。
【０００８】
（図１）は、本発明の一実施例を示す線量計の構成図である。
【０００９】
図１において、１は線量計の動作を制御する制御部であり、２は線量計の動作用電源部であり、６は外部機器へのデータ送信部である。３は計測によって得られた被曝放射線量データを格納するデータ格納部であって、制御部との接続手段を２線式シリアルラインとするＥＥＰＲＯＭで構成される。４は制御部１とデータ格納部３の間の接続手段および電源部２からデータ格納部３に供給される電源ラインを切り離すための切り離し部であり、５は前記切り離し部４の有無に関らずデータ格納部３の電源端子および制御端子に接続され、前記端子を外部に薄く外部接続部であって、コネクタで構成される。
【００１０】
前記１、２、６は従来技術通りの構成であり、前記１、２、６が正常に機能する限りにおいて、線量計は被験者の被曝放射線量を計測し、得られたデータを時々刻々にデータ格納部３に格納する機能を有する。
【００１１】
また、外部機器７からの要求に応じて制御部１が切り離し部４を含めたデータ格納部３との接続手段である２線式シリアルラインを制御してデータ格納部３から格納された被曝線量情報を読み出し、送信部６を介して、外部機器７に被曝線量情報を送り出すことが可能である。
【００１２】
一方、前記１、２、６のいずれかが不測の事態により故障、破損等を生じた場合はその時点までに格納された被曝線量情報は上記の内部での読み出し、送り出しを含め、外部機器７からの読み出しが不可能となる。
【００１３】
このような場合においては、切り離し部４を削除することで制御部１とデータ格納部３の接続手段である２線式シリアルラインが切り離され、またデータ格納部３に電源を供給する電源ラインも切り離されてデータ格納部３、外部接続部５は、故障線量計から切り離される。
【００１４】
前記の切り離しを行わない場合には、外部接続部５よりデータ格納部３に対して電源・制御線への接続が与えられても故障部の状態によっては、故障部を介してデータ格納部３の制御線の短絡やレベルの張り付きが発生することがあり、外部からデータ格納部３の制御線を制御できず、蓄積された被曝線量データを読み出せない場合がある。
【００１５】
しかし、前記の切り離しを行うことで故障状態によらず、データ格納部３は電気接続的に完全に独立する。
【００１６】
そのうえで外部接続部５を介して外部機器と接続され、電源と制御線が接続されることで正しく制御され、蓄積された被曝線量データの読み出しが可能となる。
【００１７】
（図２）は、本発明の一実施例の線量計測システムの構成図であって、前述の不測の事態により故障、破損等の発生した故障線量計の故障直前までの被曝線量情報を読み出すに際し、通常使用時に使用する外部機器７で読み出すための構成を示している。
【００１８】
図２において、１０は前記の不測の事態により制御部１１、電源部１２、送信部１６のいずれかに故障、破損等が発生しているためにデータ格納部１３に格納された被曝線量情報が外部から読み出すことが不可能な故障線量計であり、この故障線量計のデータ格納部１３に格納された被曝線量情報を外部から読み出すために、切り離し部１４を削除し、データ格納部１３と外部接続部１５を切り離した状態である。
【００１９】
２０は正常動作が可能な線量計であって、上記故障線量計の被曝線量情報を通常使用時の外部機器７を用いて読み出すために用意された読み出し線量計であり、データ格納部２３のみが削除された線量計である。
【００２０】
前記故障線量計１０の外部接続部１５と前記読み出し線量計２０の外部接続部２５を接続することで故障線量計１０のデータ格納部１３が読み出し線量計２０の削除されたデータ格納部２３として動作し、読み出し線量計２０の制御部２１の制御により読み出され制御部２１を介して送信部２６に送り出され、外部機器７にて読み出すことが可能となる。
【００２１】
【発明の効果】
以上の説明により、本発明においては不測の事態により線量計が動作不能となった際も、データ格納部を構成するＥＥＰＲＯＭと外部接続部を構成するコネクタが破損していなければ、データ格納部に格納されている被曝線量情報を読み出すことが可能であり、従来破棄されていた被曝線量情報の欠落を防ぐことができ、より信頼性の高い放射線被曝管理が実施可能となる。さらに、故障線量計の読み出しに際しては、線量計からデータ格納部のみを削除した読み出し線量計を接続することで通常使用時と同一の外部機器により被曝線量情報を読み出すことが可能であり、読み出し線量計は通常線量計と同一構成で実現できるため、システムの簡略化を図ることが可能となると共に、使用者は通常と同一の外部機器を用い、同一の手順にて極めて容易に故障線量計の被曝線量情報を読み出すことが可能となる。
【図面の簡単な説明】
【図１】本発明の一実施例の線量計の構成図
【図２】本発明の一実施例の線量計測システム構成図
【図３】従来技術での構成図
【符号の説明】
１      制御部
２      電源部
３      データ格納部
４      切り離し部
５      外部接続部
６      送信部
７      外部機器
１０    故障線量計
１１    故障線量計の制御部
１２    故障線量計の電源部
１３    故障線量計のデータ格納部
１４    削除された故障線量計の切り離し部
１５    故障線量計の外部接続部
１６    故障線量計の送信部
２０    読み出し線量計
２１    読み出し線量計の制御部
２２    読み出し線量計の電源部
２３    削除された読み出し線量計のデータ格納部
２４    読み出し線量計の切り離し部
２５    読み出し線量計の外部接続部
２６    読み出し線量計の送信部
【図１】
0003812255.tif 000002
【図２】
0003812255.tif 000003
【図３】
0003812255.tif 000004